【手続補正書】
【提出日】平成17年6月28日(2005.6.28)
【手続補正１】
【補正対象書類名】明細書
【補正対象項目名】００３７
【補正方法】変更
【補正の内容】
【００３７】
受信部１３は、アンテナ１１を介して移動局（Ａ）２０ａ〜移動局（Ｅ）２０ｅからの制御情報を受信する受信手段である。移動局（Ａ）２０ａ〜移動局（Ｅ）２０ｅは、無線基地局１０から送信先が移動局（Ａ）２０ａ〜移動局（Ｅ）２０ｅのパケットが到着したことの通知を受けると、ＱｏＳや通信品質に関する情報（以下「ＱｏＳ情報」という）や、パケットの送信順序を決定する際に無線基地局１０が利用する情報（以下「スケジューリング情報」という）等の制御情報を、無線基地局１０に送信する。そのため、受信部１３は、各移動局（Ａ）２０ａ〜移動局（Ｅ）２０ｅから送信されたＱｏＳ情報や、スケジューリング情報等の制御情報を受信する。受信部１３は、移動局（Ａ）２０ａ〜移動局（Ｅ）２０ｅから受信した制御情報を、パケット分類部１４ａやスケジューリング処理部１４ｂに入力する。又、受信部１３は、移動局からの新規の接続要求を受信する。受信部１３は、受信した接続要求を受付制御部１４ｄに入力する。
【手続補正２】
【補正対象書類名】明細書
【補正対象項目名】００６５
【補正方法】変更
【補正の内容】
【００６５】
（ｍＣ×１０3）／ｌ≧Ｒ×１０3    ・・・（３）
ｍ≧ｌＲ／Ｃ    ・・・（４）
無線リソース割当処理部１４ｃは、（４）式を満足する最小の自然数「ｍ」を求める計算を行う。これにより、無線リソース割当処理部１４ｃは、定量保証型パケットが持つ要求値を満たすために必要な最低限の無線リソース量であるタイムスロットの数「ｍ」を求めることができる。そして、無線リソース割当処理部１４ｃは、求めた数「ｍ」のタイムスロットを定量保証型パケットに割り当てる。これによれば、無線基地局１０は、通信品質に関する要求値を保証できる。加えて、無線基地局１０は、定量保証型パケットが持つ要求値を満たすために必要な最低限の無線リソース量を、定量保証型パケットに割り当てる。そのため、無線基地局１０は、要求値を満足するために必要となる無線リソース量を大幅に上回るような量の無線リソースが、定量保証型パケットに割り当てられてしまうことを防止できる。その結果、無線基地局１０は、無線リソースをより効率的に利用することができ、相対保証型パケットに割り当てる無線リソースを確保することができる。
【手続補正３】
【補正対象書類名】明細書
【補正対象項目名】００９９
【補正方法】変更
【補正の内容】
【００９９】
図１３に示すように、無線基地局２１０は、アンテナ２１１と、送信部２１２と、受信部２１３と、制御装置２１４とを備える。制御装置２１４は、移動局分類部２１４ａと、スケジューリング処理部２１４ｂと、無線リソース割当処理部２１４ｃと、受付制御部２１４ｄとを備える。尚、受付制御部２１４ｄは、図３に示す受付制御部１４ｄと実質的に同様である。移動局２２０は、無線基地局２１０に送信するパケットが発生すると、無線基地局２１０にそのパケットを送信するために、まず、移動局のＱｏＳのクラスや通信品質に関する要求値等のＱｏＳ情報やスケジューリング情報を無線基地局２１０に送信する。そのため、受信部２１２は、アンテナ２１１を介して、移動局２２０から送信されるＱｏＳ情報やスケジューリング情報等の制御情報を受信する。これにより、無線基地局２１０は、移動局のＱｏＳのクラスや通信品質に関する要求値等を把握できる。受信部２１２は、受信したＱｏＳ情報を移動局分類部２１４ａに入力し、受信したスケジューリング情報をスケジューリング処理部２１４ｂに入力する。又、受信部２１３は、アンテナ２１１を介して、移動局２２０から送信されたパケットを受信する。受信部２１３は、受信したパケットをコアネットワークに送信する。又、受信部２１３は、移動局２２０からの接続要求を受信する。受信部２１３は、受信した接続要求を受付制御部２１４ｄに入力する。
【手続補正４】
【補正対象書類名】明細書
【補正対象項目名】０１００
【補正方法】変更
【補正の内容】
【０１００】
移動局分類部２１４ａは、受信部２１３から入力されたＱｏＳ情報に基づいて、移動局を定量保証型移動局と、相対保証型移動局とに分類する。移動局分類部２１４ａは、定量保証型移動局と相対保証型移動局とに分類した移動局を、更にＱｏＳのクラス毎に分類する。移動局分類部２１４ａは、分類結果を、スケジューリング処理部２１４ｂに入力する。このように移動局分類部２１４ａは、移動局２２０を、定量保証型移動局と相対保証型移動局とに分類することによって、それらの移動局２２０がこれから送信するパケットを定量保証型パケットと相対保証型パケットとに分類するパケット分類手段として機能する。
【手続補正５】
【補正対象書類名】明細書
【補正対象項目名】０１０１
【補正方法】変更
【補正の内容】
【０１０１】
スケジューリング処理部２１４ｂは、移動局分類部２１４ａから入力された分類結果と、受信部２１３から入力されたスケジューリング情報を用いて、定量保証型移動局及び相対保証型移動局毎に、移動局２２０がこれから送信するパケットの送信順序を制御する。即ち、スケジューリング処理部２１４ｂは、各移動局２２０の送信バッファに保持されているパケットの送信順序を決定する。尚、スケジューリング処理部２１４ｂは、図３に示したスケジューリング処理部１４ｂと同様にして送信順序を決定する。スケジューリング処理部２１４ｂは、決定したパケットの送信順序を無線リソース割当処理部２１４ｃに入力する。このようにスケジューリング処理部２１４ｃは、定量保証型移動局及び相対保証型移動局毎に、移動局が送信するパケットの送信順序を制御することによって、定量保証型パケット及び相対保証型パケット毎に、パケットの送信順序を制御する。
【手続補正６】
【補正対象書類名】明細書
【補正対象項目名】０１０４
【補正方法】変更
【補正の内容】
【０１０４】
図１４に示すように、移動局２２０は、アンテナ２２１と、受信部２２２と、制御情報作成部２２３と、送信部２２４と、送信バッファ２２５とを備える。受信部２２２は、アンテナ２２１を介して、無線基地局１０からの無線リソースの割り当て結果を受信する。受信部２２２は、受信した無線リソースの割り当て結果を送信部２２４に入力する。又、受信部２２２は、無線基地局２１０からの接続要求に対する応答も受信する。送信バッファ２２５は、移動局２２０において発生した無線基地局２１０に送信するパケットを保持する。パケットは、移動局２２０における各アプリケーションを実行することにより発生する。発生したパケットは、送信バッファ２２５に直ちに挿入される。
【手続補正７】
【補正対象書類名】明細書
【補正対象項目名】０１０５
【補正方法】変更
【補正の内容】
【０１０５】
制御情報作成部２２３は、送信バッファ２２５にパケットが挿入されると、そのパケットを送信するために、ＱｏＳ情報や、スケジューリング情報等の制御情報を作成する。制御情報作成部２２３は、図５に示した制御情報作成部２３と同様にして制御情報を作成する。制御情報作成部２２３は、作成した制御情報を送信部２２４に入力する。送信部２２４は、アンテナ２２１を介して無線基地局２１０に、制御情報作成部２２３から入力された制御情報を送信する。又、送信部２２４は、アンテナ２１１を介して無線基地局２１０に送信バッファ２２５内のパケットを送信する。送信部２２４は、送信バッファ２２５からパケットを取り出し、受信部２２２から入力される無線リソース割り当て結果に従って、パケットを順次送信する。又、送信部２２４は、無線基地局２１０に接続要求を送信する。
【手続補正８】
【補正対象書類名】図面
【補正対象項目名】図１１
【補正方法】変更
【補正の内容】
【図１１】
2004140604.tif 000001